(57)【要約】【課題】  従来に比べて構造が簡素な水道メータ設置ユニットを提供する。【解決手段】  長尺の支持部材と、支持部材の一端部に配設された第１流路形成部材と、支持部材の一端部に固定されたバルブと、支持部材の他端部に固定された第２流路形成部材とを備え、第１流路形成部材は、水道メータの一方の接続用螺子部端面に一端が当接して水道メータを第２流路形成部材へ向けて押圧し、水道メータの他方の接続用螺子部端面を第２流路形成部材の端面に押し当てて、第２流路形成部材と協働して水道メータを挟持する筒状のスライドホルダと、スライドホルダに螺合してスライドホルダを長手方向に駆動する緩み止め可能なナットとを有し、バルブは緩み止め可能なナットを回転可能に且つスライドホルダの移動方向に移動不能に支持すると共に、スライドホルダの他端部を水密に且つ摺動可能に収容し且つスライドホルダの回転を阻止する。【選択図】図２
2011169600.tif 000002
【特許請求の範囲】
【請求項１】
長尺の支持部材と、支持部材の一端部に配設された第１流路形成部材と、支持部材の一端部に固定されたバルブと、支持部材の他端部に固定された第２流路形成部材とを備え、第１流路形成部材は、水道メータの一方の接続用螺子部端面に一端が当接して水道メータを第２流路形成部材へ向けて押圧し、水道メータの他方の接続用螺子部端面を第２流路形成部材の端面に押し当てて、第２流路形成部材と協働して水道メータを挟持する筒状のスライドホルダと、スライドホルダに螺合してスライドホルダを長手方向に駆動する緩み止め可能なナットとを有し、バルブは緩み止め可能なナットを回転可能に且つスライドホルダの移動方向に移動不能に支持すると共に、スライドホルダの他端部を水密に且つ摺動可能に収容し且つスライドホルダの回転を阻止することを特徴とする水道メータ設置ユニット。
【請求項２】
バルブは減圧弁であることを特徴とする請求項１に記載の水道メータ設置ユニット。
【請求項３】
バルブは止水弁であることを特徴とする請求項１に記載の水道メータ設置ユニット。
【発明の詳細な説明】
【技術分野】
【０００１】
本発明は、水道メータ設置ユニットに関するものである。
【背景技術】
【０００２】
長尺の支持部材と、支持部材の一端部に配設された第１流路形成部材と、支持部材の一端部に固定されたバルブと、支持部材の他端部に固定された第２流路形成部材とを備え、第１流路形成部材は、水道メータの一方の接続用螺子部端面に一端が当接して水道メータを第２流路形成部材へ向けて押圧し、水道メータの他方の接続用螺子部端面を第２流路形成部材の端面に押し当てて、第２流路形成部材と協働して水道メータを挟持する筒状のスライドホルダと、スライドホルダに螺合してスライドホルダを長手方向に駆動する緩み止め可能なナットとを有し、バルブは緩み止め可能なナットを回転可能に且つスライドホルダの移動方向に移動不能に支持すると共に、スライドホルダの他端部を水密に且つ摺動可能に収容し、支持部材の一端部に固定されたスライドガイドがスライドホルダに係合してスライドホルダの回転を阻止することを特徴とする水道メータ設置ユニットが特許文献１に開示されている。
【先行技術文献】
【特許文献】
【０００３】
【特許文献１】特開平１１−０９３２２６号公報
【発明の概要】
【発明が解決しようとする課題】
【０００４】
特許文献１の水道メータ設置ユニットには、支持部材にスライドガイドの固定部とバルブの固定部とを形成しなければならず、支持部材の構造が複雑化し、ひいては水道メータ設置ユニットの構造が複雑化するという問題がある。
本発明は上記問題に鑑みてなされたものであり、長尺の支持部材と、支持部材の一端部に配設された第１流路形成部材と、支持部材の一端部に固定されたバルブと、支持部材の他端部に固定された第２流路形成部材とを備え、第１流路形成部材は、水道メータの一方の接続用螺子部端面に一端が当接して水道メータを第２流路形成部材へ向けて押圧し、水道メータの他方の接続用螺子部端面を第２流路形成部材の端面に押し当てて、第２流路形成部材と協働して水道メータを挟持する筒状のスライドホルダと、スライドホルダに螺合してスライドホルダを長手方向に駆動する緩み止め可能なナットとを有し、バルブは緩み止め可能なナットを回転可能に且つスライドホルダの移動方向に移動不能に支持すると共に、スライドホルダの他端部を水密に且つ摺動可能に収容する水道メータ設置ユニットであって、特許文献１の水道メータに比べて構造が簡素な水道メータ設置ユニットを提供することを目的とする。
【課題を解決するための手段】
【０００５】
上記課題を解決するために、本発明においては、長尺の支持部材と、支持部材の一端部に配設された第１流路形成部材と、支持部材の一端部に固定されたバルブと、支持部材の他端部に固定された第２流路形成部材とを備え、第１流路形成部材は、水道メータの一方の接続用螺子部端面に一端が当接して水道メータを第２流路形成部材へ向けて押圧し、水道メータの他方の接続用螺子部端面を第２流路形成部材の端面に押し当てて、第２流路形成部材と協働して水道メータを挟持する筒状のスライドホルダと、スライドホルダに螺合してスライドホルダを長手方向に駆動する緩み止め可能なナットとを有し、バルブは緩み止め可能なナットを回転可能に且つスライドホルダの移動方向に移動不能に支持すると共に、スライドホルダの他端部を水密に且つ摺動可能に収容し且つスライドホルダの回転を阻止することを特徴とする水道メータ設置ユニットを提供する。
本発明に係る水道メータ設置ユニットにおいては、バルブが特許文献１の水道メータ設置ユニットが備えるスライドガイドの機能を果たすので、スライドガイドを配設する必要がない。この結果、特許文献１の水道メータ設置ユニットに比べて部品点数が減少し、またスライドガイド固定部を支持部材に形成する必要が無くなって、水道メータ設置ユニットの構造が特許文献１に比べて簡素化される。
【０００６】
本発明の好ましい態様においては、バルブは減圧弁である。
本発明の好ましい態様においては、バルブは止水弁である。
バルブは、減圧弁でも、止水弁でも良く、或いは止水弁と減圧弁とが一体化された複合弁でも良い。
【図面の簡単な説明】
【０００７】
【図１】本発明の実施例に係る水道メータ設置ユニットの断面図である。
【図２】図１の部分拡大図である。
【発明を実施するための形態】
【０００８】
本発明の実施例に係る水道メータ設置ユニットを説明する。
図１に示すように、水道メータ設置ユニットＡは、板材で形成した長尺の支持部材１を備えている。支持部材１の長手方向両端部に、建物床面に当接固定される脚部１ａ、１ｂが形成され、脚部１ｂに隣接して且つ脚部１ｂよりも長手方向中央側に隆起部１ｃが形成されている。隆起部１ｃと脚部１ａとに挟まれて、隆起部１ｃよりも低く、脚部１ａ、１ｂよりも高い平坦な中央部１ｄが形成されている。
水道メータ設置ユニットＡは、上流側に配設された止水弁２ａと下流側に配設された減圧弁２ｂと両弁の間に配設されたストレーナ２ｃとが単一の弁箱２ｄに組付けられた複合弁２を備えている。弁箱２ｄの減圧弁２ｂよりも下流側の部位から一対の脚部２ｅが下方へ延び、支持部材中央部１ｄの脚部１ａ近傍部に固定されている。
水道メータ設置ユニットＡは、支持部材中央部１ｄの脚部１ａ近傍部に配設された第１流路形成部材３と、隆起部１ｃに固定された第２流路形成部材４とを備えている。
第１流路形成部材３の端面を水道メータＢの接続用螺子部端面Ｂ１に押し当て、第２流路形成部材４の端面を水道メータＢの接続用螺子部端面Ｂ２に押し当て、更に第１流路形成部材３の端面下部に形成した張出部と第２流路形成部材４の端面下部に形成した張出部とで水道メータＢの重量を支えて、第１流路形成部材３と第２流路形成部材４とで水道メータＢを挟持している。
【０００９】
図２に示すように、第１流路形成部材３は、水道メータＢの一方の接続用螺子部端面Ｂ１に一端部の端面が当接して水道メータＢを第２流路形成部材４へ向けて押圧する筒状のスライドホルダ３１と、スライドホルダ３１の前記一端部に螺合してスライドホルダ３１を長手方向へ駆動するナット３２とを有している。
弁箱２ｄの減圧弁２ｂよりも下流側の部位が、Ｏリングを介して水密に且つ長手方向に摺動可能にスライドホルダ３１の他端部を収容すると共に、前記下流側の部位を貫通してスライドホルダ３１の外面に形成された縦溝３１ａに係合する螺子２ｆを介してスライドホルダ３１の回転を阻止している。
弁箱２ｄの減圧弁２ｂよりも下流側の端部が、当該下流側の端部を貫通してナット３２の外面に形成された周溝３２ａに係合する螺子２ｇを介して、ナット３２を回転可能に且つスライドホルダ３１の移動方向に移動不能に支持している。
弁箱２ｄの減圧弁２ｂよりも下流側の端部にロック穴２ｈが形成されている。ナット３２に複数のロック穴３２ｂが周方向に互いに間隔を隔てて形成されている。
【００１０】
図１に示すように、第２流路形成部材４は、水道メータＢの他方の接続用螺子部端面Ｂ２に一端部の端面が当接して水道メータＢを第１流路形成部材３へ向けて押圧する筒状のホルダ４１と、支持部材１の隆起部１ｃに螺子止め固定されホルダ４１の他端部を収容し、ホルダ４１を摺動回転可能に且つ長手方向に移動不能に支持する筒状のホルダガイド４２とを有している。
ホルダガイド４２は一端部周壁に螺着する螺子４２ａを有しており、螺子４２ａの先端部がホルダガイド４２に収容されたホルダ４１の他端部外周面に形成された周溝４１ａに係合することにより、ホルダガイド４２は、ホルダ４１を摺動回転可能に且つ長手方向に移動不能に支持している。ホルダ４１の他端部とホルダガイド４２の一端部との摺接部は、Ｏリングによりシールされている。
水道メータ設置ユニットＡは、ホルダガイド４２内に配設された逆止弁５を備えている。
水道メータ設置ユニットＡは、ホルダガイド４２の他端部に一端部が回転可能に且つ所定回転位置に保持可能に連結されたエルボ継手６と、エルボ継手６の他端部に連結された二次継手７とを備えている。
【００１１】
水道メータ設置ユニットＡの作動を説明する。
ナット３２を手動で回転させて、スライドホルダ３１の一端部とホルダ４１の一端部との間の隙間を拡大させる。水道メータＢをスライドホルダ３１の一端部とホルダ４１の一端部との間の隙間に入れ、他方の接続用螺子部端面Ｂ２をホルダ４１の一端部の端面に当接させ、次いでナット３２を手動で回転させて、スライドホルダ３１の一端部とホルダ４１の一端部との間の隙間を縮小させ、スライドホルダ３１の一端部の端面を水道メータＢの一方の接続用螺子部端面Ｂ１に当接させて、水道メータＢをホルダ４１へ向けて押圧する。スライドホルダ３１の一端部の端面下部に形成した張出部とホルダ４１の一端部の端面下部に形成した張出部とで重量が支えられた状態で、水道メータＢは第１流路形成部材３と第２流路形成部材４とにより挟持される。
弁箱２ｄのロック穴２ｈと、ロック穴２ｈに最も近いナット３２のロック穴３２ｂとに針金や紐を通して、ナット３２を弁箱２ｄに縛り付けることにより、ナット３２を緩み止めする。
スライドホルダ３１の一端部の端面とホルダ４１の一端部の端面とが水道メータＢの一方の接続用螺子部端面Ｂ１と他方の接続用螺子部端面Ｂ２とに圧接することにより、水道メータＢと第１流路形成部材３との接続部及び水道メータＢと第２流路形成部材４との接続部からの漏水が防止される。
【００１２】
水道メータ設置ユニットＡにおいては、複合弁２の弁箱２ｄが、特許文献１の水道メータ設置ユニットのスライドガイドと同様に、スライドホルダ３１の回転を阻止するの機能を果たすので、スライドガイドを配設する必要がない。この結果、特許文献１の水道メータ設置ユニットに比べて部品点数が減少し、またスライドガイド固定部を支持部材に形成する必要が無くなって、水道メータ設置ユニットの構造が特許文献１に比べて単純化される。
上記実施例では、複合弁２を配設したが、複合弁２に代えて、複合弁２から減圧弁２ｂとストレーナ２ｃとを取り去り、弁箱２ｄに形成された前記２部材の挿入穴に蓋を装着したものを配設しても良く、或いは減圧弁のみを配設しても良く、或いは止水弁のみを配設しても良い。
止水弁２ａはボール弁でも良く、ディスク弁でも良く、或いは他の構成の弁でも良い。
【産業上の利用可能性】
【００１３】
本発明は、水道メータ設置ユニットに広く利用可能である。
【符号の説明】
【００１４】
Ａ  水道メータ設置ユニット
Ｂ  水道メータ
１  支持部材
２  複合弁
２ｄ  弁箱
２ｆ、２ｇ  螺子
３  第１流路形成部材
３１  スライドホルダ
３１ａ  縦溝
３２  ナット
３２ａ  周溝
４  第２流路形成部材
４１  ホルダ
６  エルボ継手
７  二次継手
【図１】
2011169600.tif 000003
【図２】
2011169600.tif 000004